【手続補正書】
【提出日】平成17年9月26日(2005.9.26)
【手続補正１】
【補正対象書類名】明細書
【補正対象項目名】特許請求の範囲
【補正方法】変更
【補正の内容】
【特許請求の範囲】
【請求項１】  出力領域の拡大縮小率に基づきフォントサイズを計算する第１計算手段と、
前記第１計算手段により計算されたフォントサイズが最小フォントサイズより小さいか否かを判別する判別手段と、
前記判別手段により前記第１計算手段により計算されたフォントサイズが最小フォントサイズより小さいと判別された場合、フォントサイズを最小サイズまで拡大するための拡大率を計算する第２計算手段と、
前記第２計算手段により計算された拡大率に基づき出力領域の調整を行う調整手段と
を有することを特徴とする文書印刷システム。
【請求項２】  フォントのサイズに応じて書体を変更する変更手段を有することを特徴とする請求項１記載の文書印刷システム。
【請求項３】  前記変更手段は、フォントのサイズが所定サイズより小さい場合、ゴシック体に変更することを特徴とする請求項２記載の文書印刷システム。
【請求項４】  前記調整手段は、出力領域が複数ページに分割されて出力されるように調整することを特徴とする請求項１記載の文書印刷システム。
【請求項５】  出力領域の拡大縮小率に基づきフォントサイズを計算する第１計算ステップと、
前記第１計算ステップにより計算されたフォントサイズが最小フォントサイズより小さいか否かを判別する判別ステップと、
前記判別ステップにより前記第１計算ステップにより計算されたフォントサイズが最小フォントサイズより小さいと判別された場合、フォントサイズを最小サイズまで拡大するための拡大率を計算する第２計算ステップと、
前記第２計算ステップにより計算された拡大率に基づき出力領域の調整を行う調整ステップと
を有することを特徴とする文書印刷方法。
【請求項６】  フォントのサイズに応じて書体を変更する変更ステップを有することを特徴とする請求項５記載の文書印刷方法。
【請求項７】  前記変更ステップは、フォントのサイズが所定サイズより小さい場合、ゴシック体に変更することを特徴とする請求項６記載の文書印刷方法。
【請求項８】  前記調整ステップは、出力領域が複数ページに分割されて出力されるように調整することを特徴とする請求項５記載の文書印刷方法。
【請求項９】  出力領域の拡大縮小率に基づきフォントサイズを計算する第１計算ステップと、
前記第１計算ステップにより計算されたフォントサイズが最小フォントサイズより小さいか否かを判別する判別ステップと、
前記判別ステップにより前記第１計算ステップにより計算されたフォントサイズが最小フォントサイズより小さいと判別された場合、フォントサイズを最小サイズまで拡大するための拡大率を計算する第２計算ステップと、
前記第２計算ステップにより計算された拡大率に基づき出力領域の調整を行う調整ステップと
をコンピュータに実行させることを特徴するプログラム。
【請求項１０】  フォントのサイズに応じて書体を変更する変更ステップを有することを特徴とする請求項９記載のプログラム。
【請求項１１】  前記変更ステップは、フォントのサイズが所定サイズより小さい場合、ゴシック体に変更することを特徴とする請求項１０記載のプログラム。
【請求項１２】  前記調整ステップは、出力領域が複数ページに分割されて出力されるように調整することを特徴とする請求項９記載のプログラム。
【請求項１３】  請求項９乃至１２のいずれかに記載のプログラムを記憶したことを特徴とする記憶媒体。
【手続補正２】
【補正対象書類名】明細書
【補正対象項目名】０００６
【補正方法】変更
【補正の内容】
【０００６】
【課題を解決するための手段】
請求項１の発明は、出力領域の拡大縮小率に基づきフォントサイズを計算する第１計算手段と、前記第１計算手段により計算されたフォントサイズが最小フォントサイズより小さいか否かを判別する判別手段と、前記判別手段により前記第１計算手段により計算されたフォントサイズが最小フォントサイズより小さいと判別された場合、フォントサイズを最小サイズまで拡大するための拡大率を計算する第２計算手段と、前記第２計算手段により計算された拡大率に基づき出力領域の調整を行う調整手段とを有することを特徴とする。
【手続補正３】
【補正対象書類名】明細書
【補正対象項目名】０００７
【補正方法】変更
【補正の内容】
【０００７】
請求項１の発明において、フォントのサイズに応じて書体を変更する変更手段を有することができる。
【手続補正４】
【補正対象書類名】明細書
【補正対象項目名】０００８
【補正方法】変更
【補正の内容】
【０００８】
請求項２の発明において、変更手段は、フォントのサイズが所定サイズより小さい場合、ゴシック体に変更することができる。
【手続補正５】
【補正対象書類名】明細書
【補正対象項目名】０００９
【補正方法】変更
【補正の内容】
【０００９】
請求項１の発明において、調整手段は、出力領域が複数ページに分割されて出力されるように調整することができる。
【手続補正６】
【補正対象書類名】明細書
【補正対象項目名】００１０
【補正方法】変更
【補正の内容】
【００１０】
請求項５の発明は、出力領域の拡大縮小率に基づきフォントサイズを計算する第１計算ステップと、前記第１計算ステップにより計算されたフォントサイズが最小フォントサイズより小さいか否かを判別する判別ステップと、前記判別ステップにより前記第１計算ステップにより計算されたフォントサイズが最小フォントサイズより小さいと判別された場合、フォントサイズを最小サイズまで拡大するための拡大率を計算する第２計算ステップと、前記第２計算ステップにより計算された拡大率に基づき出力領域の調整を行う調整ステップとを有することを特徴とする。
【手続補正７】
【補正対象書類名】明細書
【補正対象項目名】００１１
【補正方法】変更
【補正の内容】
【００１１】
請求項５の発明において、フォントのサイズに応じて書体を変更する変更ステップを有することができる。
【手続補正８】
【補正対象書類名】明細書
【補正対象項目名】００１２
【補正方法】変更
【補正の内容】
【００１２】
請求項６の発明において、変更ステップは、フォントのサイズが所定サイズより小さい場合、ゴシック体に変更することができる。
【手続補正９】
【補正対象書類名】明細書
【補正対象項目名】００１３
【補正方法】変更
【補正の内容】
【００１３】
請求項５の発明において、調整ステップは、出力領域が複数ページに分割されて出力されるように調整することができる。
【手続補正１０】
【補正対象書類名】明細書
【補正対象項目名】００１４
【補正方法】変更
【補正の内容】
【００１４】
請求項９の発明は、出力領域の拡大縮小率に基づきフォントサイズを計算する第１計算ステップと、前記第１計算ステップにより計算されたフォントサイズが最小フォントサイズより小さいか否かを判別する判別ステップと、前記判別ステップにより前記第１計算ステップにより計算されたフォントサイズが最小フォントサイズより小さいと判別された場合、フォントサイズを最小サイズまで拡大するための拡大率を計算する第２計算ステップと、前記第２計算ステップにより計算された拡大率に基づき出力領域の調整を行う調整ステップとをコンピュータに実行させることを特徴する。
【手続補正１１】
【補正対象書類名】明細書
【補正対象項目名】００１５
【補正方法】変更
【補正の内容】
【００１５】
請求項９の発明において、フォントのサイズに応じて書体を変更する変更ステップを有することができる。
【手続補正１２】
【補正対象書類名】明細書
【補正対象項目名】００１６
【補正方法】変更
【補正の内容】
【００１６】
請求項１０の発明において、変更ステップは、フォントのサイズが所定サイズより小さい場合、ゴシック体に変更することができる。
請求項９の発明において、調整ステップは、出力領域が複数ページに分割されて出力されるように調整することができる。
【手続補正１３】
【補正対象書類名】明細書
【補正対象項目名】００１７
【補正方法】変更
【補正の内容】
【００１７】
請求項１３の発明は、請求項９乃至１２のいずれかに記載のプログラムを記憶したことを特徴とする。